【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
（ａ）発光源基質；
（ｂ）有効量の、式（Ｉ）の化合物またはその互変異性体、
2017519977.tif 000001
式中
Ｒ1は、水素、アルキル、置換アルキル、アルキル−アリール、アルキル−ヘテロアリール、シクロアルキル、アリール、ヘテロアリール、カルボン酸、エステル、ＮＲaＲb、イミン、ヒドロキシル、またはオキソであり；
Ｒ2は、水素、ＮＲaＲb、イミン、アルキル、またはアリールであり；
Ｒa及びＲbは、それぞれ独立して、水素、アルキル、またはアリールであり；ならびに  （ｃ）有機溶媒、
を含む、組成物。
【請求項２】
発光酵素を含まない、請求項１に記載の組成物。
【請求項３】
前記発光源基質が、セレンテラジンまたはその機能類似体である、請求項１に記載の組成物。
【請求項４】
前記発光源基質が、フリマジン（セレンテラジンの機能類似体）である、請求項１に記載の組成物。
【請求項５】
前記発光源基質が、分解に対して安定化されている、請求項１または３に記載の組成物。
【請求項６】
前記発光源基質が、光の存在下、分解に対して安定化されている、請求項１、３または４に記載の組成物。
【請求項７】
前記発光源基質が、光の不在下、分解に対して安定化されている、請求項１、３または４に記載の組成物。
【請求項８】
前記発光源基質が、−８０℃〜６０℃の温度で分解に対して安定化されている、請求項１または３に記載の組成物。
【請求項９】
前記発光源基質が、前記式（Ｉ）の化合物またはその互変異性体を含まない組成物と比較して、分解に対して安定化されている、請求項６または７に記載の組成物。
【請求項１０】
前記式（Ｉ）の化合物の前記有効量が、０．１ｍＭ超である、請求項１に記載の組成物。
【請求項１１】
前記式（Ｉ）の化合物が、以下からなる群より選択される、請求項１に記載の組成物：ＡＴＴ、ＡＴＣＡ、３−（４−アミノ−５−オキソ−３−チオキソ−２，３，４，５−テトラヒドロ−１，２，４−トリアジン−６−イル）プロパン酸、４−（（２−フリルメチレン）アミノ）−３−メルカプト−６−メチル−１，２，４−トリアジン−５（４Ｈ）−オン、６−ベンジル−３−スルファニル−１，２，４−トリアジン−５−オール、４−アミノ−３−メルカプト−６−メチル−１，２，４−トリアジン−５（４Ｈ）−オン、３−（５−オキソ−３−チオキソ−２，３，４，５−テトラヒドロ−１，２，４−トリアジン−６−イル）プロパン酸、（Ｅ）−６−メチル−４−（（チオフェン−２−イルメチレン）アミノ）−３−チオキソ−３，４−ジヒドロ−１，２，４−トリアジン−５（２Ｈ）−オン、（Ｅ）−６−メチル−４−（（３−ニトロベンジリデン）アミノ）−３−チオキソ−３，４−ジヒドロ−１，２，４−トリアジン−５（２Ｈ）−オン、（Ｅ）−４−（（４−（ジエチルアミノ）ベンジリデン）アミノ）−６−メチル−３−チオキソ−３，４−ジヒドロ−１，２，４−トリアジン−５（２Ｈ）−オン、ＡＴＣＡエチルエステル、ＴＡＫ−００１４、ＴＡＫ−０００２、ＴＡＫ−００２１、ＴＡＫ−００２０、ＴＡＫ−００１８、ＴＡＫ−０００９、ＴＡＫ−０００７、ＴＡＫ−０００８、ＴＡＫ−０００３、ＴＡＫ−０００４、３−チオキソ−６−（トリフルオロメチル）−３，４−ジヒドロ−１，２，４−トリアジン−５（２Ｈ）−オン、６−シクロプロピル−３−チオキソ−３，４−ジヒドロ−１，２，４−トリアジン−５（２Ｈ）−オン、及び６−（ヒドロキシメチル）−３−チオキソ−３，４−ジヒドロ−１，２，４−トリアジン−５（２Ｈ）−オン。
【請求項１２】
前記式（Ｉ）の化合物が、ＡＴＴであり、ＡＴＴの前記有効量が、３２ｍＭ超である、請求項１１に記載の組成物。
【請求項１３】
前記有機溶媒が、アルコール、プロピレングリコール、ジメチルスルホキシド（ＤＭＳＯ）、アセトニトリル、グリセロール、及びそれらの任意の組み合わせからなる群より選択される、請求項１に記載の組成物。
【請求項１４】
単独の容器中に請求項１、３、４または１０〜１３に記載の組成物を含むキットであって、前記式（Ｉ）の化合物が、前記発光源基質を安定化させる、前記キット。
【請求項１５】
発光源基質の安定化方法であって、該方法が、有機溶媒の存在下、該発光源基質を、有効量の、式（Ｉ）の化合物またはその互変異性体と接触させ、それにより該発光源基質を分解に対して安定化させることを含み、
前記式（Ｉ）の化合物が、以下のものであり
2017519977.tif 000002
式中、
Ｒ1は、水素、アルキル、置換アルキル、アルキル−アリール、アルキル−ヘテロアリール、シクロアルキル、アリール、ヘテロアリール、カルボン酸、エステル、ＮＲaＲb、イミン、ヒドロキシル、またはオキソであり；
Ｒ2は、水素、ＮＲaＲb、イミン、アルキル、またはアリールであり；かつ
Ｒa及びＲbは、それぞれ独立して、水素、アルキル、またはアリールである、
前記方法。
【請求項１６】
前記発光源基質が、セレンテラジンまたはその機能類似体である、請求項１５に記載の方法。
【請求項１７】
前記発光源基質が、フリマジン（セレンテラジンの機能類似体）である、請求項１５に記載の方法。
【請求項１８】
前記発光源基質が、光の存在下、分解に対して安定化されている、請求項１５〜１７に記載の方法。
【請求項１９】
前記発光源基質が、光の不在下、分解に対して安定化されている、請求項１５〜１７に記載の方法。
【請求項２０】
前記発光源基質が、−８０℃〜６０℃の温度で分解に対して安定化されている、請求項１５または１６に記載の方法。
【請求項２１】
前記発光源基質が、前記式（Ｉ）の化合物またはその互変異性体を含まない組成物と比較して、分解に対して安定化されている、請求項１８または１９に記載の方法。
【請求項２２】
前記式（Ｉ）の化合物の前記有効量が、０．１ｍＭ超である、請求項１５に記載の方法。
【請求項２３】
前記式（Ｉ）の化合物が、以下からなる群より選択される、請求項１５に記載の方法：ＡＴＴ、ＡＴＣＡ、３−（４−アミノ−５−オキソ−３−チオキソ−２，３，４，５−テトラヒドロ−１，２，４−トリアジン−６−イル）プロパン酸、４−（（２−フリルメチレン）アミノ）−３−メルカプト−６−メチル−１，２，４−トリアジン−５（４Ｈ）−オン、６−ベンジル−３−スルファニル−１，２，４−トリアジン−５−オール、４−アミノ−３−メルカプト−６−メチル−１，２，４−トリアジン−５（４Ｈ）−オン、３−（５−オキソ−３−チオキソ−２，３，４，５−テトラヒドロ−１，２，４−トリアジン−６−イル）プロパン酸、（Ｅ）−６−メチル−４−（（チオフェン−２−イルメチレン）アミノ）−３−チオキソ−３，４−ジヒドロ−１，２，４−トリアジン−５（２Ｈ）−オン、（Ｅ）−６−メチル−４−（（３−ニトロベンジリデン）アミノ）−３−チオキソ−３，４−ジヒドロ−１，２，４−トリアジン−５（２Ｈ）−オン、（Ｅ）−４−（（４−（ジエチルアミノ）ベンジリデン）アミノ）−６−メチル−３−チオキソ−３，４−ジヒドロ−１，２，４−トリアジン−５（２Ｈ）−オン、ＡＴＣＡエチルエステル、ＴＡＫ−００１４、ＴＡＫ−０００２、ＴＡＫ−００２１、ＴＡＫ−００２０、ＴＡＫ−００１８、ＴＡＫ−０００９、ＴＡＫ−０００７、ＴＡＫ−０００８、ＴＡＫ−０００３、ＴＡＫ−０００４、３−チオキソ−６−（トリフルオロメチル）−３，４−ジヒドロ−１，２，４−トリアジン−５（２Ｈ）−オン、６−シクロプロピル−３−チオキソ−３，４−ジヒドロ−１，２，４−トリアジン−５（２Ｈ）−オン、及び６−（ヒドロキシメチル）−３−チオキソ−３，４−ジヒドロ−１，２，４−トリアジン−５（２Ｈ）−オン。
【請求項２４】
前記式（Ｉ）の化合物が、ＡＴＴであり、該ＡＴＴの前記有効量が、３２ｍＭ超である、請求項１５に記載の方法。
【請求項２５】
前記有機溶媒が、アルコール、プロピレングリコール、ジメチルスルホキシド（ＤＭＳＯ）、アセトニトリル、グリセロール、及びそれらの任意の組み合わせからなる群より選択される、請求項１５に記載の方法。
【手続補正２】
【補正対象書類名】明細書
【補正対象項目名】０２７１
【補正方法】変更
【補正の内容】
【０２７１】
開示される実施形態に対する様々な変更及び修飾が、当業者には明らかであるだろう。そのような変更及び修飾は、化学構造、置換基、誘導体、中間体、合成、組成物、配合、または本発明の使用方法に関連するものも含めて、制限無く、本発明の精神及び範囲から逸脱することなくなされる場合がある。
本発明の好ましい態様は、下記の通りである。
〔１〕（ａ）発光源基質；
（ｂ）有効量の、式（Ｉ）の化合物またはその互変異性体、
2017519977.tif 000003
式中
Ｒ1は、水素、アルキル、置換アルキル、アルキル−アリール、アルキル−ヘテロアリール、シクロアルキル、アリール、ヘテロアリール、カルボン酸、エステル、ＮＲaＲb、イミン、ヒドロキシル、またはオキソであり；
Ｒ2は、水素、ＮＲaＲb、イミン、アルキル、またはアリールであり；
Ｒa及びＲbは、それぞれ独立して、水素、アルキル、またはアリールであり；ならびに  （ｃ）有機溶媒、
を含む、組成物。
〔２〕発光酵素を含まない、前記〔１〕に記載の組成物。
〔３〕前記発光源基質が、分解に対して安定化されている、前記〔１〕に記載の組成物。
〔４〕前記発光源基質が、前記式（Ｉ）の化合物またはその互変異性体を含まない組成物と比較して、分解に対して安定化されている、前記〔３〕に記載の組成物。
〔５〕前記発光源基質が、光の存在下、分解に対して安定化されている、前記〔３〕または〔４〕に記載の組成物。
〔６〕前記発光源基質が、光の不在下、分解に対して安定化されている、前記〔３〕または〔４〕に記載の組成物。
〔７〕前記発光源基質が、−８０℃〜６０℃の温度で分解に対して安定化されている、前記〔３〕または〔４〕に記載の組成物。
〔８〕前記発光源基質が、セレンテラジンまたはその機能類似体である、前記〔１〕に記載の組成物。
〔９〕前記セレンテラジンまたはその機能類似体が、分解に対して安定化されている、前記〔８〕に記載の組成物。
〔１０〕前記セレンテラジンまたはその機能類似体が、光の存在下、分解に対して安定化されている、前記〔９〕に記載の組成物。
〔１１〕前記セレンテラジンまたはその機能類似体が、前記式（Ｉ）の化合物またはその互変異性体を含まない組成物と比較して、光の存在下、分解に対して安定化されている、前記〔１０〕に記載の組成物。
〔１２〕前記セレンテラジンまたはその機能類似体が、光の不在下、分解に対して安定化されている、前記〔９〕に記載の組成物。
〔１３〕前記セレンテラジンまたはその機能類似体が、前記式（Ｉ）の化合物またはその互変異性体を含まない組成物と比較して、光の不在下、分解に対して安定化されている、前記〔１２〕に記載の組成物。
〔１４〕前記セレンテラジンまたはその機能類似体が、−８０℃〜６０℃の温度で分解に対して安定化されている、前記〔９〕に記載の組成物。
〔１５〕前記セレンテラジンの機能類似体が、フリマジンである、前記〔８〕に記載の組成物。
〔１６〕フリマジンが、光の存在下、分解に対して安定化されている、前記〔１５〕に記載の組成物。
〔１７〕フリマジンが、前記式（Ｉ）の化合物またはその互変異性体を含まない組成物と比較して、光の存在下、分解に対して安定化されている、前記〔１６〕に記載の組成物。
〔１８〕フリマジンが、光の不在下、分解に対して安定化されている、前記〔１５〕に記載の組成物。
〔１９〕フリマジンが、前記式（Ｉ）の化合物またはその互変異性体を含まない組成物と比較して、光の不在下、分解に対して安定化されている、前記〔１８〕に記載の組成物。
〔２０〕前記式（Ｉ）の化合物の前記有効量が、０．１ｍＭ超である、前記〔１〕に記載の組成物。
〔２１〕前記式（Ｉ）の化合物の前記有効量が、１ｍＭ超である、前記〔２０〕に記載の組成物。
〔２２〕前記式（Ｉ）の化合物が、以下からなる群より選択される、前記〔１〕に記載の組成物：ＡＴＴ、ＡＴＣＡ、３−（４−アミノ−５−オキソ−３−チオキソ−２，３，４，５−テトラヒドロ−１，２，４−トリアジン−６−イル）プロパン酸、テトラヒドロ−２−メチル−３−チオキソ−１，２，４−トリアジン−５，６−ジオン、４−（（２−フリルメチレン）アミノ）−３−メルカプト−６−メチル−１，２，４−トリアジン−５（４Ｈ）−オン、６−ベンジル−３−スルファニル−１，２，４−トリアジン−５−オール、４−アミノ−３−メルカプト−６−メチル−１，２，４−トリアジン−５（４Ｈ）−オン、３−（５−オキソ−３−チオキソ−２，３，４，５−テトラヒドロ−１，２，４−トリアジン−６−イル）プロパン酸、（Ｅ）−６−メチル−４−（（チオフェン−２−イルメチレン）アミノ）−３−チオキソ−３，４−ジヒドロ−１，２，４−トリアジン−５（２Ｈ）−オン、（Ｅ）−６−メチル−４−（（３−ニトロベンジリデン）アミノ）−３−チオキソ−３，４−ジヒドロ−１，２，４−トリアジン−５（２Ｈ）−オン、（Ｅ）−４−（（４−（ジエチルアミノ）ベンジリデン）アミノ）−６−メチル−３−チオキソ−３，４−ジヒドロ−１，２，４−トリアジン−５（２Ｈ）−オン、ＡＴＣＡエチルエステル、ＴＡＫ−００１４、ＴＡＫ−０００２、ＴＡＫ−００２１、ＴＡＫ−００２０、ＴＡＫ−００１８、ＴＡＫ−０００９、ＴＡＫ−０００７、ＴＡＫ−０００８、ＴＡＫ−０００３、ＴＡＫ−０００４、３−チオキソ−６−（トリフルオロメチル）−３，４−ジヒドロ−１，２，４−トリアジン−５（２Ｈ）−オン、６−シクロプロピル−３−チオキソ−３，４−ジヒドロ−１，２，４−トリアジン−５（２Ｈ）−オン、及び６−（ヒドロキシメチル）−３−チオキソ−３，４−ジヒドロ−１，２，４−トリアジン−５（２Ｈ）−オン。
〔２３〕前記式（Ｉ）の化合物が、ＡＴＴであり、ＡＴＴの前記有効量が、３２ｍＭ超である、前記〔２２〕に記載の組成物。
〔２４〕ＡＴＴの前記有効量が、２２５ｍＭである、前記〔２３〕に記載の組成物。
〔２５〕前記有機溶媒が、アルコール、プロピレングリコール、ジメチルスルホキシド（ＤＭＳＯ）、アセトニトリル、グリセロール、及びそれらの任意の組み合わせからなる群より選択される、前記〔１〕に記載の組成物。
〔２６〕前記有機溶媒が、エタノールとプロピレングリコールとの組み合わせである、前記〔２５〕に記載の組成物。
〔２７〕前記有機溶媒が、エタノールとグリセロールとの組み合わせである、前記〔２５〕に記載の組成物。
〔２８〕発光源基質の安定化方法であって、該方法が、有機溶媒の存在下、該発光源基質を、有効量の、式（Ｉ）の化合物またはその互変異性体と接触させ、それにより該発光源基質を分解に対して安定化させることを含み、
前記式（Ｉ）の化合物が、以下のものであり
2017519977.tif 000004
式中、
Ｒ1は、水素、アルキル、置換アルキル、アルキル−アリール、アルキル−ヘテロアリール、シクロアルキル、アリール、ヘテロアリール、カルボン酸、エステル、ＮＲaＲb、イミン、ヒドロキシル、またはオキソであり；
Ｒ2は、水素、ＮＲaＲb、イミン、アルキル、またはアリールであり；かつ
Ｒa及びＲbは、それぞれ独立して、水素、アルキル、またはアリールである、
前記方法。
〔２９〕前記式（Ｉ）の化合物の前記有効量が、０．１ｍＭ超である、前記〔２８〕に記載の方法。
〔３０〕前記式（Ｉ）の化合物の前記有効量が、１ｍＭ超である、前記〔２９〕に記載の方法。
〔３１〕前記式（Ｉ）の化合物が、以下からなる群より選択される、前記〔２８〕に記載の方法：ＡＴＴ、ＡＴＣＡ、３−（４−アミノ−５−オキソ−３−チオキソ−２，３，４，５−テトラヒドロ−１，２，４−トリアジン−６−イル）プロパン酸、テトラヒドロ−２−メチル−３−チオキソ−１，２，４−トリアジン−５，６−ジオン、４−（（２−フリルメチレン）アミノ）−３−メルカプト−６−メチル−１，２，４−トリアジン−５（４Ｈ）−オン、６−ベンジル−３−スルファニル−１，２，４−トリアジン−５−オール、４−アミノ−３−メルカプト−６−メチル−１，２，４−トリアジン−５（４Ｈ）−オン、３−（５−オキソ−３−チオキソ−２，３，４，５−テトラヒドロ−１，２，４−トリアジン−６−イル）プロパン酸、（Ｅ）−６−メチル−４−（（チオフェン−２−イルメチレン）アミノ）−３−チオキソ−３，４−ジヒドロ−１，２，４−トリアジン−５（２Ｈ）−オン、（Ｅ）−６−メチル−４−（（３−ニトロベンジリデン）アミノ）−３−チオキソ−３，４−ジヒドロ−１，２，４−トリアジン−５（２Ｈ）−オン、（Ｅ）−４−（（４−（ジエチルアミノ）ベンジリデン）アミノ）−６−メチル−３−チオキソ−３，４−ジヒドロ−１，２，４−トリアジン−５（２Ｈ）−オン、ＡＴＣＡエチルエステル、ＴＡＫ−００１４、ＴＡＫ−０００２、ＴＡＫ−００２１、ＴＡＫ−００２０、ＴＡＫ−００１８、ＴＡＫ−０００９、ＴＡＫ−０００７、ＴＡＫ−０００８、ＴＡＫ−０００３、ＴＡＫ−０００４、３−チオキソ−６−（トリフルオロメチル）−３，４−ジヒドロ−１，２，４−トリアジン−５（２Ｈ）−オン、６−シクロプロピル−３−チオキソ−３，４−ジヒドロ−１，２，４−トリアジン−５（２Ｈ）−オン、及び６−（ヒドロキシメチル）−３−チオキソ−３，４−ジヒドロ−１，２，４−トリアジン−５（２Ｈ）−オン。
〔３２〕前記式（Ｉ）の化合物が、ＡＴＴであり、該ＡＴＴの前記有効量が、３２ｍＭ超である、前記〔３１〕に記載の方法。
〔３３〕前記ＡＴＴの前記有効量が、２２５ｍＭである、前記〔３２〕に記載の方法。
〔３４〕発光源基質が、光の存在下、分解に対して安定化されている、前記〔２８〕に記載の方法。
〔３５〕前記発光源基質が、光の不在下、分解に対して安定化されている、前記〔２８〕に記載の方法。
〔３６〕前記発光源基質が、−８０℃〜６０℃の温度で分解に対して安定化されている、前記〔２８〕に記載の方法。
〔３７〕前記発光源基質が、セレンテラジンまたはその機能類似体である、前記〔２８〕に記載の方法。
〔３８〕前記セレンテラジンの機能類似体が、フリマジンである、前記〔３７〕に記載の方法。
〔３９〕フリマジンが、光の存在下、分解に対して安定化されている、前記〔３８〕に記載の方法。
〔４０〕フリマジンが、光の不在下、分解に対して安定化されている、前記〔３８〕に記載の方法。
〔４１〕前記有機溶媒が、アルコール、プロピレングリコール、ジメチルスルホキシド（ＤＭＳＯ）、アセトニトリル、グリセロール、及びそれらの任意の組み合わせからなる群より選択される、前記〔２８〕に記載の方法。
〔４２〕前記有機溶媒が、エタノールとプロピレングリコールとの組み合わせである、前記〔４１〕に記載の方法。
〔４３〕前記有機溶媒が、エタノールとグリセロールとの組み合わせである、前記〔４１〕に記載の方法。
〔４４〕単独の容器中に前記〔１〕に記載の組成物を含むキットであって、前記式（Ｉ）の化合物が、前記発光源基質を安定化させる、前記キット。
〔４５〕前記発光源基質が、セレンテラジンまたはその機能類似体である、前記〔４４〕に記載のキット。
〔４６〕前記セレンテラジンの機能類似体が、フリマジンである、前記〔４５〕に記載のキット。
〔４７〕前記式（Ｉ）の化合物の前記有効量が、０．１ｍＭ超である、前記〔４４〕に記載のキット。
〔４８〕前記式（Ｉ）の化合物の前記有効量が、１ｍＭ超である、前記〔４７〕に記載のキット。
〔４９〕前記〔４４〕に記載のキットであって、前記式（Ｉ）の化合物が、以下からなる群より選択される、前記キット：ＡＴＴ、ＡＴＣＡ、３−（４−アミノ−５−オキソ−３−チオキソ−２，３，４，５−テトラヒドロ−１，２，４−トリアジン−６−イル）プロパン酸、テトラヒドロ−２−メチル−３−チオキソ−１，２，４−トリアジン−５，６−ジオン、４−（（２−フリルメチレン）アミノ）−３−メルカプト−６−メチル−１，２，４−トリアジン−５（４Ｈ）−オン、６−ベンジル−３−スルファニル−１，２，４−トリアジン−５−オール、４−アミノ−３−メルカプト−６−メチル−１，２，４−トリアジン−５（４Ｈ）−オン、３−（５−オキソ−３−チオキソ−２，３，４，５−テトラヒドロ−１，２，４−トリアジン−６−イル）プロパン酸、（Ｅ）−６−メチル−４−（（チオフェン−２−イルメチレン）アミノ）−３−チオキソ−３，４−ジヒドロ−１，２，４−トリアジン−５（２Ｈ）−オン、（Ｅ）−６−メチル−４−（（３−ニトロベンジリデン）アミノ）−３−チオキソ−３，４−ジヒドロ−１，２，４−トリアジン−５（２Ｈ）−オン、（Ｅ）−４−（（４−（ジエチルアミノ）ベンジリデン）アミノ）−６−メチル−３−チオキソ−３，４−ジヒドロ−１，２，４−トリアジン−５（２Ｈ）−オン、ＡＴＣＡエチルエステル、ＴＡＫ−００１４、ＴＡＫ−０００２、ＴＡＫ−００２１、ＴＡＫ−００２０、ＴＡＫ−００１８、ＴＡＫ−０００９、ＴＡＫ−０００７、ＴＡＫ−０００８、ＴＡＫ−０００３、ＴＡＫ−０００４、３−チオキソ−６−（トリフルオロメチル）−３，４−ジヒドロ−１，２，４−トリアジン−５（２Ｈ）−オン、６−シクロプロピル−３−チオキソ−３，４−ジヒドロ−１，２，４−トリアジン−５（２Ｈ）−オン、及び６−（ヒドロキシメチル）−３−チオキソ−３，４−ジヒドロ−１，２，４−トリアジン−５（２Ｈ）−オン。
〔５０〕前記式（Ｉ）の化合物が、ＡＴＴであり、ＡＴＴの前記有効量が、３２ｍＭ超である、前記〔４９〕に記載のキット。
〔５１〕ＡＴＴの前記有効量が、２２５ｍＭである、前記〔５０〕に記載のキット。
〔５２〕前記有機溶媒が、アルコール、プロピレングリコール、ジメチルスルホキシド（ＤＭＳＯ）、アセトニトリル、グリセロール、及びそれらの任意の組み合わせからなる群より選択される、前記〔４４〕に記載のキット。
〔５３〕前記有機溶媒が、エタノールとプロピレングリコールとの組み合わせである、前記〔５２〕に記載のキット。
〔５４〕前記有機溶媒が、エタノールとプロピレングリコールとの組み合わせである、前記〔５３〕に記載のキット。